(57)【要約】【課題】本発明は打撃を受け該打撃を検出する打撃センサの信号を出力する電子シンバルパッドに関し、ポールを回転軸とする回転を防止する。【解決手段】電子パッド１を下から支えると共に、中央に上下に貫通した取付孔９ｂを有し、該取付孔に、この電子パッドを支えるポール１０を有するスタンドのポール１０が挿通されるものであって、前記取付孔の回りに逆Ｖ字形状の凹部を有するフレーム４と、中央に挿通孔を有すると共に上面が逆Ｖ字形状に突出した凸部を有し、該挿通孔にポール１９が挿通されて該ポールに固定され、前記フレームの凹部と嵌合あるいは遊嵌される回転止め部材９と有する。【選択図】        図２
2005331971.tif 000002
【特許請求の範囲】
【請求項１】
打撃を受け該打撃を検出する打撃センサの信号を出力する電子シンバルパッドにおいて、
前記電子シンバルパッドを下から支えると共に、中央に上下に貫通した取付孔を有し、該取付孔に、この電子シンバルパッドを支えるポールを有するスタンドの該ポールが挿通されるものであって、前記取付孔の回りに逆Ｖ字形状の凹部を有するフレームと、
中央に挿通孔を有すると共に上面が逆Ｖ字形状に突出した凸部を有し、該挿通孔に前記ポールが挿通されて該ポールに固定され、前記フレームの凹部と嵌合あるいは遊嵌される回転止め部材と有することを特徴とする電子シンバルパッド。
【発明の詳細な説明】
【技術分野】
【０００１】
本発明は、電子打楽器として使用される電子シンバルパッドに関する。
【背景技術】
【０００２】
近年、アコースティックシンバル等の打楽器を模擬した電子打楽器が広く用いられている。
【０００３】
アコースティックシンバル等の打楽器では、その打撃面およびその打撃面周縁に対する打撃により打撃面を振動させることで楽音が発生するのに対し、電子打楽器では、打撃面に打撃センサを、打撃面周縁にシートセンサなどを備えた電子パッドの打撃面および打撃面周縁を打撃することにより、それらのセンサで検出される振動や圧力を基に楽音の発音が行われる。
【０００４】
また、消音操作は、アコースティックシンバルなどにおける消音操作と同様、打撃面周縁を指でつまむことにより行われる。アコースティックシンバルなどにおける、この打撃面周縁を指でつまむという消音操作は、発音の源となる打撃面の振動を静止させることとなり、電子打楽器におけるこの消音操作は、外周周縁部に備えられたシートセンサに圧力を加えることとなり、このシートセンサに或る一定時間以上圧力が加え続けられることで、消音操作が行われていることが認識される。
【発明の開示】
【発明が解決しようとする課題】
【０００５】
このように、従来の電子打楽器の場合、演奏者が発音中の楽音の消音を行うために打撃面周縁を指で摘むことによってその打撃面周縁に備えられたシートセンサにより圧力が検出されても、そのシートセンサでは打撃面周縁に対する打撃によっても圧力が検出されるため、その圧力が消音操作に依るものか打撃面周縁に対する打撃に依るものかを判定するためにはその圧力がある一定以上の時間継続するか否かを判定することが必要であり、このため消音操作に対する実際の消音が遅れるという問題が起こる。
【０００６】
本発明は、上記事情に鑑み、消音操作に対する実際の消音の遅れを抑えることのできる電子パッドを提供することを目的とする。
【課題を解決するための手段】
【０００７】
上記目的を達成する本発明の電子パッドは、上面が打撃を受け該打撃を検出して出力する電子パッドにおいて、円盤状の第１のフレームと、上記第１のフレームの上面を覆うカバーと、上記カバーを介して上記第１のフレームに伝達された打撃を検出する打撃センサと、前記第１のフレーム周縁部の下面に配置された、該周縁部への操作を検知する操作センサとを備えたことを特徴とする。
【０００８】
本発明の電子パッドは、通常の演奏ではほとんど打撃されることの無い周縁部下面に、演奏者の打撃および操作のうち操作のみが検出される操作センサを備えたため、電子パッド周縁部に受けた操作を瞬時に消音に結びつけることができる。
【０００９】
ここで、本発明の電子パッドは、上記第１のフレームを下から支えると共に、中央に上下に貫通した取り付け孔を有し、この取り付け孔に、この電子パッドを支えるポールを有するスタンドのポールが挿通されてこのポールに支持される、上記第１のフレームと比べ軟材質の第２のフレームを備えたものであることが好ましい。
【００１０】
このように、上記第１のフレームを上記第１のフレームより軟材質の上記第２のフレームで下から支え、その第２のフレームをスタンドのポールに固定することにより、第１のフレームはスタンドへの固定から免れ、第１のフレームに発生する振動はスムーズに伝播する。このため、第１のフレームに備えられた打撃センサは、打撃による振動を正確に検出することができる。
【００１１】
さらに、本発明の電子パッドにおいて、上記第２のフレームが、この第２のフレーム下面の上記取り付け孔の回りに、所定方向に谷が延びる楔形にえぐられた形状の凹部を有し、その凹部は、中央に挿通孔を有すると共に上面が所定方向に峰が延びる楔形に突出した形状を有し挿通孔にポールが挿通されてポールに固定される回転止め部材に嵌合あるいは遊嵌されるものであることが好ましい。
【００１２】
上記第２のフレームは、その下面の取り付け孔の回りにポールに固定された回転止め部材と嵌合あるいは遊嵌される凹部を有し、この回転止め部材を介在させてスタンドのポールに支持されるため、ポールを回転軸とした電子パッドの回転が防止される。このため、演奏者は、この電子パッドの打撃面の或る一定範囲内を打撃することになる。これにより、電子パッドにおける上記操作センサの配設範囲が限定でき、製造経費の削減が可能となる。また、接続されたコードが、電子パッドが回転することによりポールに絡まり、ポールに引っ張られる事態も防止される。
【００１３】
特に、回転止め部材が第２のフレームの下面の取り付け孔の回りの凹部に遊嵌されるものである場合、電子パッドは上記回転が防止されつつ揺れることとなる。この場合、演奏者は、アコースティックシンバルに一層近い感覚で演奏することができる。
【００１４】
また、本発明の電子シンバルパッドは、打撃を受け該打撃を検出する打撃センサの信号を出力する電子シンバルパッドにおいて、
この電子シンバルパッドを下から支えると共に、中央に上下に貫通した取付孔を有し、この取付孔に、この電子シンバルパッドを支えるポールを有するスタンドの該ポールが挿通されるものであって、その取付孔の回りに逆Ｖ字形状の凹部を有するフレームと、
中央に挿通孔を有すると共に上面が逆Ｖ字形状に突出した凸部を有し、その挿通孔に上記ポールが挿通されてポールに固定され、上記フレームの凹部と嵌合あるいは遊嵌される回転止め部材と有することを特徴とする。
【発明の効果】
【００１５】
以上、説明したように、本発明によれば、消音操作に対する消音を従来よりも迅速に行うことができる。
【発明を実施するための最良の形態】
【００１６】
以下、本発明の第１実施形態について説明する。
【００１７】
図１は、本発明の第１実施形態の電子シンバルとして使用される電子パッド１の斜視図である。
【００１８】
この図１に示されている電子パッド１は、打撃する部分により異なる音質の音が出力される、中央の開口部１ａを囲みドーム状に盛り上がった形状を有しているカップ部３０と、外周周縁のエッジ部３２と、その中間のボウ部３１とに分けることができる。
【００１９】
この電子パッド１の上面は、カバー２によって覆われている。このカバー２の材料としては、ゴムや、ゴムの長所である弾力性とプラスチックの長所である生産性とを合わせもった素材であるエラストマ等が用いられている。
【００２０】
このカバー２の上面には、同心円状の凹凸加工が施されている。この加工により、例えば溝幅が２ｍｍ、ピッチが４ｍｍ（溝と溝の間２ｍｍ）、深さが０．１ｍｍの凹凸がカバー２の上面に設けられることとなる。
【００２１】
また、このカバー２の上面には、ゴム用プライマー（反応性表面改質処理材、科学的反応型表面処理材）等をディッピング、刷毛塗り、およびスプレーなどによって塗布する処理が施されており、表面の摩擦係数が低くなり、また、耐摩耗性も向上した状態となっている。これによりスティックの滑りが金属製のアコースティックシンバルを叩いたときと近いものとなり、また、スティックで長期間叩いた時のゴムの摩耗が軽減される。なお、この表面処理と同様の効果を有し、かつ後述する第１のフレーム３よりも軟らかい材料でこのカバー２を形成してもよい。また、このゴム用プライマの塗布等の表面処理が、図３で後述する、エッジ上部シートセンサ７を押すカバー２の外周周縁部２ａ裏面の摺動部分２ｂと、エッジ下部シートセンサ６を押す部分にも摩耗防止のために施されている。このようになっていることで電子パッド１の上面はスティックの良好な跳ね上がりが得られるようになっている。
【００２２】
図１の電子パッド１の中央の開口部１ａには、上から順に、後述する、この電子パッド１を下から支持するポール１０のネジ部１０ａ、そのネジ部１０ａに螺着された蝶ナット１３、金属ワッシャ１２、およびフェルトワッシャ１１が示されている。
【００２３】
図２は、図１の電子パッド１のＡ−Ａ断面図である。
【００２４】
図２（ｂ）には、便宜上、ポール１０、蝶ナット１３、金属ワッシャ１２、およびフェルトワッシャ１１が除かれた図２（ａ）の中央付近の拡大図が示されている。
【００２５】
第１のフレーム３は、硬質材からなり、中央には開口部３ｃを有する。また、この第１のフレーム３の上面および周縁部下側は、上記中央の開口部３ｃの上面を除きカバー２によって覆われている。この第１のフレーム３の材料としては、ＡＢＳ、ポリカーボネイト等が用いられている。
【００２６】
また、この第１のフレーム３は、その外縁に、円環状の、中央の開口部３ｃ上面から段差３ａだけ下がった上面を有する外周周縁部３ｂを有している。
【００２７】
カバー２の、第１のフレーム３の外周周縁部３ｂに接する外周周縁部２ａは、上記段差３ａ分だけこの部分以外に比べ厚肉に成形されており、そのためそのカバー２の上面、すなわちこの電子パッド１の上面は、その段差３ａの存在を感じさせない形状に仕上っている。
【００２８】
また、外周周縁部２ａは、第１のフレーム３の外周周縁部３ｂよりも外側へ形成されているため、エッジ部３２が打撃されたときに変形しやすくなっている。これにより、アコースティックシンバルのエッジ部が打撃されたときに変形し衝撃を吸収する感触を再現することができる。
【００２９】
また、図２（ｂ）には第２のフレーム４が示されている。この第２のフレーム４は、第１のフレーム３の中央の開口部３ｃから上方に突き出ている頭部４ａ、その開口部３ｃの下面周縁を下から支える肩部４ｂ、および第１のフレーム３の、図１のボウ部３１に相当する部位の下面を下から支える腕部４ｃからなる。
【００３０】
第２のフレーム４の頭部４ａ中央には図２（ｂ）に示される、上下に貫通する取り付け孔４ｄが設けられている。また、第２のフレーム４の頭部４ａの中央下面の、取り付け孔４ｄの回りには、後述する回転止め部材９と嵌合する、所定方向に谷が延びる楔形にえぐられた形状の凹部４ｅが備えられている。この第２のフレーム４には、ゴム等の、上記第１のフレーム３の材質に比べ軟材質のものが用いられている。
【００３１】
さらに図２には、第１のフレーム３の下面の、第２のフレーム４の腕部４ｃに覆われ、演奏者側の位置に接した圧電センサ５が示されている。この圧電センサ５は、電子パッド１の打撃面および打撃面周縁に対する打撃を検出する。
【００３２】
図２において、圧電センサ５、後述する、エッジ上部シートセンサ７、エッジ下部シートセンサ６およびカップ部シートセンサ８は、図２の右半分の半周にのみ配設され左半周には配設されていない。この電子パッド１は右半周にのみ打撃を受けることが想定されており、これらセンサは打撃範囲内にのみ配設されている。第２のフレーム４の凹部４ｅと回転止め部材９との嵌合により電子パッド１の回転が防止され、これにより打撃範囲の限定を可能としている。
【００３３】
打撃範囲の限定が可能となったため、打撃範囲外へのセンサ配設が省略される。その結果、製造経費の削減が可能となる。
【００３４】
ここで、第２のフレーム４は、前述したように、第１のフレーム３に比べ軟材質のゴム等の素材で形成され、第１のフレーム３をその肩部４ｂで持ち上げる構造を有する。したがって、この第２のフレーム４が、後述するスタンドのポール１０に固定されることとなり、第１のフレーム３はスタンドへの固定から免れ、第１のフレーム３に発生する振動はその第１のフレーム３上をスムーズに伝播する
。このため、この電子パッド１の打撃面および打撃面周縁に対する打撃により第１のフレーム３に発生する振動は、効率よく圧電センサ５で検出されることとなる。
【００３５】
また、カバー２は、第１のフレーム３の外周周縁部３ｂの下側にまで回りこんでおり、この第１のフレーム３の外周周縁部３ｂの下面と、この外周周縁部の下側に回りこんでいるカバー２との間には、本発明でいう操作センサの一例であるエッジ下部シートセンサ６が備えられている。このエッジ下部シートセンサ６では、演奏者による消音操作による圧力が検出され、打撃は検出されない。
【００３６】
さらに、この第１のフレーム３の外周周縁部３ｂの上面と、この外周周縁部３ｂの上面を覆うカバー２との間にはエッジ上部シートセンサ７が備えられている。
【００３７】
このエッジ上部シートセンサ７では、図１に示される外周周縁のエッジ部３２に対する打撃等による圧力が検出される。
【００３８】
加えて、電子パッド１の中央のカップ部３０のふもと部３０ａと第１のフレーム３とが近接した部位に、カップ部シートセンサ８が、第１のフレーム３の上面に接して備えられている。
【００３９】
また、図２においてドーム形状で示されている、電子パッド１のカップ部３０は、芯材１９が一体成形されたカバー２により形成されている。
【００４０】
この芯材１９は、カップ部３０が打撃された場合、芯材１９の周縁部がカバー２のカップ部３０周縁部内面を介してカップ部シートセンサ８を押圧するものである。
【００４１】
これにより、このカップ部シートセンサ８では、カップ部３０に対する打撃が検出される。
【００４２】
前述したように、第２のフレーム４の頭部４ａの中央下面には、所定方向に谷が延びる楔形にえぐられた形状の凹部４ｅが形成されており、一方、図２（ｂ）に示されるように、回転止め部材９は、その凹部４ｅに嵌合される、所定方向に峰が延びる楔形に突出した形状の先端部９ａを有する。
【００４３】
また、回転止め部材９は、その中央に、電子パッド１を下から支持するポール１０が挿通される、図２（ｂ）に示される挿通孔９ｂを有する。この挿通孔９ｂは、下から上へ向かう途中で直径が一度小さくなる形状のものである。
【００４４】
一方、このポール１０は、挿通孔９ｂと嵌合する形状、すなわち、先端に行く途中で直径が小さくなる形状の先端部１０ｂを有している。回転止め部材９は、ポール１０の先端部１０ｂが挿通された状態で、図３に示す留め具１５によってポール１０に固定されている。
【００４５】
さらに、ポール１０のごく先端にはネジ部１０ａが設けられており、このネジ部１０ａは、第２のフレーム４の頭部４ａ上面よりも上方に突出し、回転止め部材９との間に、第２のフレーム４の頭部４ａ、フェルトワッシャ１１、金属ワッシャ１２を挟み込んで蝶ナット１３で螺着され、この蝶ナット１３により電子パッド１がこのポール１０に固定される。
【００４６】
つまり、電子パッド１は、第２のフレーム４の凹部４ｅに嵌合される先端部９ａを有する回転止め部材９を固定したポール１０により下から支持されることとなる。
【００４７】
ここで、この第２のフレーム４の凹部４ｅと、回転止め部材９の先端部９ａとが嵌合しているため、電子パッド１の、ポール１０を回転軸とする回転が防止される。これにより、電子パッド１の後述する出力ケーブル１４がポール１０に絡まったり、ポール１０に引っ張られたりする事態を防止することができる。
【００４８】
図３は、図１の電子パッド１のＢ−Ｂ断面図である。
【００４９】
図３には、ポール１０に回転止め部材９を固定する前述した留め具１５、および第２のフレーム４を第１のフレーム３に固定するネジ１６が示されている。
【００５０】
図３では、エッジ下部シートセンサ６、エッジ上部シートセンサ７、およびカップ部シートセンサ８が電子パッド１の左右ともに配設されている。これは、この図３に示されている断面図は、図２の断面図と比べその断面が９０°異なっており、演奏者のポジションからこの電子パッド１を見た場合の断面を図示したものだからである。
【００５１】
また、この図３には、圧電センサ５、エッジ下部シートセンサ６、エッジ上部シートセンサ７、およびカップ部シートセンサ８からの各出力信号を、図示しない音源装置へ伝達する為の出力ジャック１８、および出力ケーブル１４が示されている。
【００５２】
出力ジャック１８は、第２のフレーム４の腕部４ｃと第１のフレーム３の下面との間の空間に配備されると共に、出力ジャックホルダ１７を介して第２のフレーム４に固定されている。この第２のフレーム４は、前述したように第１のフレームに比べ軟らかい材質の例えばゴムなどの素材で形成されているので、出力ケーブル１４への引っ張りや、電子パッド１の振動に対して多少変形して出力ジャックなどの破損を防ぐことができる。尚、この出力ジャック１８は、２つのジャック、すなわち第１出力ジャック１１０と第２出力ジャック１２０（図７参照）とからなり、上記各センサからの出力信号は、これらの第１出力ジャック１１０および第２出力ジャック１２０から出力され、出力ケーブル１４を経由し、図示しない音源装置に伝達される。本実施形態では、このように、センサの数と端子の数とが異なっているが、各センサからの信号を音源装置に伝達することができる。この点については後述する。
【００５３】
図４は、電子パッド１を斜め下方から見たときの斜視図である。
【００５４】
図４には、前述した、第１のフレーム３の外周周縁を包み込むように下方に回り込んでいるカバー２が図示されている。
【００５５】
また、図４には、電子パッド１が、回転止め部材９が固定されたポール１０によって支持されている状態が示されている。
【００５６】
第２のフレーム４は、この図４に示すように、第１のフレーム３の下面に対しネジ１６により数ヶ所で固定されている。
【００５７】
図５は、図１に示される電子パッド１の中央のカップ部３０、中間のボウ部３１、外周周縁のエッジ部３２に対するスティック２０による打撃を概念的に示す図、図６は、電子パッド１の外周周縁を指ではさむことによる消音操作を行っている様子を概念的に示す図である。
【００５８】
ここで、電子パッド１に対し、図５および図６に示される打撃や消音操作を行うと、図２に示される上記圧電センサ５、エッジ下部シートセンサ６、エッジ上部シートセンサ７、カップ部シートセンサ８の各センサでは振動や圧力が検出される。これら各センサからの出力信号は、図７に示す回路において組み合わされ、出力ジャック１８すなわち第１出力ジャック１１０および第２出力ジャック１２０から出力され、出力ケーブル１４を経由して、図示しない音源装置に伝達される。
【００５９】
音源装置には、アコーステックシンバル上の、図１に示される中央のカップ部３０、中間のボウ部３１、外周周縁のエッジ部３２に対応する部位をそれぞれ打撃した場合にそのアコーステックシンバルで発音される、各部位の典型的な音色の音、いわゆるカップ音、ボウ音、エッジ音を模擬した音色の音が記憶されており、出力ケーブル１４を経由して伝達される出力信号の組み合わせに基づいて、打撃部位に対応する音色の楽音の発音または楽音の消音が行われる。
【００６０】
次に、各センサの出力と、打撃位置および消音操作（エッジ部のチョーク）との対応関係について説明する。表１に、その対応関係を示す。
【００６１】
【表１】
2005331971.tif 000003
【００６２】
圧電センサ５からは図１のカップ部３０、ボウ部３１、エッジ部３２のいずれを打撃した場合も信号が出力され、エッジ部チョークの場合はオフにとどまる。また、カップ部シートセンサ８は、カップ部３０を打撃した場合のみオンとなる。エッジ上部シートセンサ７は、カップ部３０およびボウ部３１の演奏ではオフのままであり、エッジ部３２を打撃した場合とエッジ部のチョークの場合にオンとなる。さらに、エッジ下部シートセンサ６は、エッジ部チョークの場合のみオンとなる。
【００６３】
つまり、エッジ下部シートセンサ６は、打撃によっては反応せず、エッジ部チョークという電子パッド１の周縁部への操作のみを検出していることとなる。
【００６４】
図７は、各センサからの出力信号を音源に伝達するためのジャック部分の配線図である。
【００６５】
ここには、第１出力ジャック１１０に接続される２つの端子Ａ１、Ａ２と第２出力ジャック１２０に接続される２つの端子Ｂ１、Ｂ２が示されている。端子Ａ１と端子Ｂ１との双方には、圧電センサ５からの出力信号が伝達される。また、端子Ａ２にはエッジ下部シートセンサ６とカップ部シートセンサ８との双方が接続されているが、表１に示すようにエッジ下部シートセンサ６およびカップ部シートセンサ８との双方が同時にオンとなるタイミング存在せず、しかも圧電センサ５の出力を見ることにより、エッジ下部シートセンサ６とカップ部シートセンサ８のいずれがオンであるかを判定することができる。したがって、エッジ下部シートセンサ６およびカップ部シートセンサ８からの出力信号は、これらの双方を端子Ａ２から出力することができる。
【００６６】
また、第２出力ジャック１２０の端子Ｂ２にはエッジ上部シートセンサ７が接続されている。
【００６７】
表２は、各端子の出力と割当て音との対応関係を示した表である。
【００６８】
【表２】
2005331971.tif 000004
【００６９】
ここで、音源装置には、第１出力ジャック１１０のみあるいは第２出力ジャック１２０のみを接続することもでき、第１出力ジャックのみを接続したときはカップ音とボウ音の発音、消音が行われ、第２出力ジャックのみを接続した時はエッジ音のみの発音、消音が行われる。
【００７０】
第１出力ジャック１１０の端子Ａ１から圧電センサ５の出力があり、第１出力ジャック１１０の端子Ａ２からは出力がなかったときは、発音される音としてボウ音が割り当てられる。また、第１出力ジャック１１０の端子Ａ１と端子Ａ２との双方から出力があったときは、カップ音が割り当てられる。第１出力ジャック１１０の端子Ａ１から圧電センサ５の出力がなく、端子Ａ２から出力があったときは（このときは、エッジ下部シートセンサ６がオン）、消音が行われる。
【００７１】
また、第２出力ジャック１２０の端子Ｂ１から出力があり、端子Ｂ２からの出力がないときは、どの音も発音されずに無音のままに保たれ、端子Ｂ１および端子Ｂ２の双方から出力があるときは、エッジ音が発音される。また、端子Ｂ１からの出力はなく、端子Ｂ２からの、すなわちエッジ上部シートセンサ７がオンの出力があったときは、消音が行われる。このときは、エッジ下部シートセンサ６を用いることなく、圧電センサ５の出力とエッジ上部シートセンサ７の出力との組み合わせにより、直ちに、消音するための操作（エッジのチョーク）を検出することができる。ただし、この電子パッド１全体としては、消音操作（エッジ部のチョーク）を瞬時に検出するために、打撃を検出することなくエッジ部のチョークを検出するエッジ下部シートセンサ６が必要である。
【００７２】
以上のように、図１の電子パッド１のカップ部３０が打撃を受けると、端子Ａ１、端子Ａ２、および端子Ｂ１各端子から信号が伝達され、音源装置では、カップ音の発音が行われる。同様に、中間のボウ部３１に打撃を受けると、端子Ａ１と端子Ｂ１との双方から信号が伝達され、音源装置では、ボウ音の発音が行われる。また、外周周縁のエッジ部３２に打撃を受けると、端子Ａ１、端子Ｂ１、および端子Ｂ２各端子から信号が伝達され、音源装置では、エッジ音の発音が行われる。表２に示されているように、エッジ音の発音のときは、それと同時にボウ音も発音されるが、エッジ音はアクセント的に利用される場合が多く、音量が大きく設定されており、ボウ音はこのエッジ音によってマスクされることと、エッジ音は、そもそもボウ音の特徴を含んでいることから、エッジ音にボウ音が重なって発音されても影響はほとんど無視することができる。
【００７３】
また、図６に示すように、電子パッド１の打撃面周縁を指で摘む操作（エッジ部のチョーク）により、端子Ａ２と端子Ｂ２との双方の端子からそれぞれエッジ下部シートセンサ６およびエッジ上部シートセンサ７の信号が伝達され、音源装置では、消音が行われる。
【００７４】
さらに、この音源装置は、圧力センサ５については出力の有無のみでなく、その出力信号の大きさも監視しており、上述の各音の発音にあたっては、その圧電センサの出力信号の大きさに応じた音量で発音する。一般にシートセンサは、スイッチと同様にオン／オフを検出するものであり、圧電センサ等で打撃による振動を監視し打撃位置の判定を行ってから音色を選択する従来の方法等に比べ、シートセンサを併用してそのシートセンサのオンを監視する方がより迅速に音色の選択を行うことができる。本実施形態では、シートセンサを利用しており、したがって、アクセント的に使用される、すなわち演奏上迅速な発音が必要とされるカップ音や前述したエッジ音などの発音にも対応できる。この場合、その音の発音開始をある音量で迅速に行った後、打撃力に応じた音量に整えるためのエンベロープ処理が行われる。
【００７５】
このように、上記実施形態では、電子パッド１の打撃面および打撃面周縁に対する打撃によって打撃部位に対応した音色の音が打撃力に応じた音量で発音され、図６に示される消音操作により、発音中の音が従来に比べ迅速に消音されることとなる。
【００７６】
ここで、第１出力ジャック１１０と第２出力ジャック１２０のうち第１出力ジャック１１０のみを音源装置に接続したときにも、打撃に反応する位置を避けた位置に配置されたエッジ下部シートセンサ６を消音操作によりオンすることにより、演奏者は、発音中のカップ音およびボウ音を従来に比べ迅速に消音することができる。なお、上記の音源装置でエッジの発音が行なわれるときにはボウ音の発音を抑制するような制御を行うようにしてもよい。
【００７７】
図８は、ポール１０に支持されている電子パッド１が、スティック２０に打撃されて傾いている状態を示す図である。
【００７８】
この図８に示す回転止め部材２１は、図２に示した回転止め部材９に比べ、その先端部２１ａが、さらに鋭角の楔形となっている。このため回転止め部材２１の先端部２１ａの楔形状は、第２のフレーム４の凹部４ｅとは完全に嵌合せずに遊嵌した状態となり、この８図に示すように打撃を受けると容易に傾くことになる。
【００７９】
このように、楔形の角度の異なる回転止め部材を数種類用意し、模擬するアコースティックシンバルの大きさや重さによってこの回転止め部材を使い分けることにより、打撃面の上記回転を防止つつ、シンバルごとに異なる、打撃による揺れの程度を調整でき、そのアコースティックシンバルに近い感覚で演奏することが可能となる。また、ポール１０のネジ部１０ａの蝶ナット１３の締め具合によっても揺れの程度を調節することができる。
【００８０】
あるいは、回転止め部材を、充分に揺れることのできる回転止め部材一種類に固定し、その回転止め部材と、第２のフレーム４の凹部４ｅとの隙間をスペーサやアダプタなどによって調整することによっても打撃面の回転を防止つつ、模擬しようとするアコースティックシンバルに近い感覚の演奏が可能となる。
【００８１】
又、電子パッド１を打撃した場合に発生する電子パッド１の揺れの中心軸は、図４に示す矢印Ｂ−Ｂで断面した時のその断面内に存在することになる。ここでは、この揺れの中心軸の近傍に出力ジャック１８を配置したため、揺れに伴う出力ケーブル１４の上下動が抑えられることとなる。したがって、出力ケーブルの自重による出力ケーブル１４自身およびこの出力ケーブル１４が接続されている部位に対する過荷重が防止されることとなり、電子パッド１の寿命を伸ばすことができる。
【００８２】
次に、本発明の第２実施形態について説明する。
【００８３】
図９は、本発明の第２実施形態の電子シンバルとして使用される電子パッド４１を示す図である。
【００８４】
図９には、フレーム４３と、フレーム４３の上面を覆うカバー４２とが示されており、フレーム４３の後述する特徴部分を見やすくするために、カバー４２の左半面が取り除かれている。
【００８５】
この電子パッド４１のフレーム４３の外周周縁には、電子パッド１と同様な外周周縁部４３ａが設けてあるが、その外周周縁部４３ａは、演奏者による打撃範囲内を避けた一部分４３ｂが図示のように切り落とされた形状を有する。
【００８６】
この部分４３ｂには、カバー４２の外周周縁部４２ａの一部分４２ｂが密着しており、このため、カバー４２の一部分４２ｂは、フレーム４３の一部切り落とされた４３ｂの分の空間部が詰まった形状に形成されている。
【００８７】
この電子パッド４１は、図１の電子パッド１に比べ、以上の、フレーム４３の外周周縁部４３ａの一部切り落としと、カバー２の周縁部４２ａの一部形状変更との２点が異なっているだけであり、したがって、図９のフレーム４３上に示されている、中央に突出ている第２のフレーム４の頭部４ａと挿通孔４ｄ、中央付近のカップ部シートセンサ８、およびフレーム４３の外周周縁部４３ａ上のエッジ上部シートセンサ７などは、図２において示されているものと同じ種類のものが使用されている。なお、図９には図示されていないが、フレーム４３の外周周縁部４３ａの下面には、これも図１の電子パッド１と同様、エッジ下部シートセンサ６も配設されている。
【００８８】
図９における矢印Ｃ−Ｃ、Ｄ−Ｄは、図１における矢印Ａ−Ａ、Ｂ−Ｂに相当しており、図９のエッジ上部シートセンサ７、図示されないエッジ下部シートセンサ６、およびカップ部シートセンサ８は、前述した、電子パッド１でのこれらセンサの配設範囲と同じ範囲に配設されている。
【００８９】
つまり、これらセンサは、図２の右半分、すなわち図９の右下のＤからＤの半周分に配設されており、左上のＤからＤの半周には配設されていない。このため、演奏者側半周のみのセンサの配設により、製造経費の削減が図られている。
【００９０】
さらには、フレーム４３の外周周縁部４３ａの一部切り落しにより、その形状が回転体でなくなり、剛性のバランスが崩れる。これに対し、前述のようにカバー２の形状が一部異なるため、電子パッド４１の挿通孔４ｄを中心とする、電子パッド４１の重量バランスは崩れることなく、フレーム４３の剛性のバランスバランス微妙に崩れ、音響的な共振を抑えることとなり、この第２の実施形態の電子パッド４１では、フレーム４３に発生する不要な振動がさらに抑えられている。
およびセンサの半周のみの配設により、この電子パッド４１の重心は、電子パッド４１の外観上の中心、すなわち図２（ｂ）の挿通孔４ｄからずれている。これに対し、この電子パッド４１は、図１の電子パッド１と同様、図示しない、回転止め部材９を固定したポール１０が、その重心からずれた挿通孔４ｄに挿通されることにより、下から支持されている。このため、この電子パッド４１の挿通孔４ｄを中心とする、電子パッド４１の重量バランスが微妙に崩れ、この第２の実施形態の電子パッド４１では、カバー４２およびフレーム４３に発生する不要な振動が、さらに抑えられている。
【図面の簡単な説明】
【００９１】
【図１】本発明の第１実施形態の電子シンバルとして使用される電子パッドの斜視図である。
【図２】電子パッドのＡ−Ａ断面図である。
【図３】電子パッドのＢ−Ｂ断面図である。
【図４】電子パッドを斜め下方から見たときの斜視図である。
【図５】電子パッドに対する打撃を行っている様子を概念的に示した図である。
【図６】電子パッドの外周周縁部を指ではさみ、消音操作を行っている様子を概念的に示した図である。
【図７】各センサからの出力信号を音源に伝達するためのジャック部分の配線図である。
【図８】図１の回転止め部材に比べ先端部が鋭角の回転止め部材を使用した電子パッドが打撃され、傾いている状態を示す図である。
【図９】フレームの外周周縁部の一部が切り落とされ、このフレームの上面を覆うカバーの左半面が切り取られた状態の第２実施形態の電子パッドを示す図である。
【符号の説明】
【００９２】
１  電子パッド
１ａ  電子パッドの中央の開口部
２  カバー
２ａ  カバーの周縁部
２ｂ  カバーの摺動部分
３  第１のフレーム
３ａ  第１のフレーム外周周縁の段差
３ｂ  第１のフレーム外周周縁部
３ｃ  第１のフレームの中央の開口部
４  第２のフレーム
４ａ  第２のフレームの頭部
４ｂ  第２のフレームの肩部
４ｃ  第２のフレームの腕部
４ｄ  第２のフレームの頭部中央の取り付け孔
４ｅ  第２のフレームの頭部中央下面の取り付け孔周囲の凹部
５  圧電センサ
６  エッジ下部シートセンサ
７  エッジ上部シートセンサ
８  カップ部シートセンサ
９  回転止め部材
９ａ  回転止め部材の先端部
９ｂ  回転止め部材の挿通孔
１０  ポール
１０ａ  ポールのネジ部
１０ｂ  ポールの先端部
１１  フェルトワッシャ
１２  金属ワッシャ
１３  蝶ナット
１４  出力ケーブル
１５  留め具
１６  ネジ
１７  出力ジャックホルダ
１８  出力ジャック
１９  芯材
２０  スティック
２１  先端が鋭角な回転止め部材
２１ａ  先端が鋭角な回転止め部材の先端部
３０  カップ部
３０ａ  カップ部のふもと部
３１  ボウ部
３２  エッジ部
４１  第２実施形態の電子パッド
４２  第２実施形態の電子パッドのカバー
４２ａ  第２実施形態の電子パッドのカバーの外周周縁部
４２ｂ  第２実施形態の電子パッドのカバーの外周周縁部の、フレームの切り落された部分に接する一部分
４３  第２実施形態の電子パッドのフレーム
４３ａ  第２実施形態の電子パッドのフレームの外周周縁部
４３ｂ  第２実施形態の電子パッドのフレームの外周周縁部の、切り落とされた一部分
１１０  第１出力ジャック
１２０  第２出力ジャック
Ａ１  圧電センサからの出力が送達される、第１出力ジャックの端子
Ａ２  エッジ下部シートセンサ、およびカップ部シートセンサからの出力が送達される、第１出力ジャックの端子
Ｂ１  圧電センサからの出力が送達される、第２出力ジャックの端子
Ｂ２  エッジ上部シートセンサからの出力が送達される、第２出力ジャックの端子
【図１】
2005331971.tif 000005
【図２】
2005331971.tif 000006
【図３】
2005331971.tif 000007
【図４】
2005331971.tif 000008
【図５】
2005331971.tif 000009
【図６】
2005331971.tif 000010
【図７】
2005331971.tif 000011
【図８】
2005331971.tif 000012
【図９】
2005331971.tif 000013